(57)【要約】【課題】傍に居ても不快感を与えない冷風機を提供する。【解決手段】第１の吸込み口１１から第１の吹出し口１２に至る通気路であって、第１の吸込み口１１より吸い込んだ空気を経路中に配された蒸発器１４との熱交換で冷却し、この冷却された空気を第１の吹出し口１２に導く第１の通気路１０を含む。第２の吸込み口２１から第２の吹出し口２２に至る通気路であって、第２の吸込み口２１より吸い込んだ空気を経路中に配された凝縮器２４との熱交換で加熱し、この加熱された空気を第２の吹出し口２２に導く第２の通気路２０を含む。第２の通気路２０には、水を貯めるトレイ２７と、このトレイ２７に貯まっている水に下部が浸されて水分を含んだ含水フィルタ２６と、が配されている。【選択図】図１
2008170115.tif 000002
【特許請求の範囲】
【請求項１】
互いの間を冷媒が循環する蒸発器と凝縮器を備え、送風機の駆動に従って外部から吸い込んだ空気を前記蒸発器との熱交換で冷却し、この冷却された空気を外部に吹き出す冷風機において、
第１の吸込み口から第１の吹出し口に至る通気路であって、第１の吸込み口より吸い込んだ空気を経路中に配された前記蒸発器との熱交換で冷却し、この冷却された空気を第１の吹出し口に導く第１の通気路と、
第２の吸込み口から第２の吹出し口に至る通気路であって、第２の吸込み口より吸い込んだ空気を経路中に配された前記凝縮器との熱交換で加熱し、この加熱された空気を第２の吹出し口に導く第２の通気路と、を含み、
前記第２の通気路には、水を貯めるトレイと、このトレイに貯まっている水に下部が浸されて水分を含んだ含水フィルタと、が配されていることを特徴とする冷風機。
【請求項２】
前記トレイに供給する水を貯留した給水タンクを備えることを特徴とする請求項１に記載の冷風機。
【請求項３】
前記蒸発器に発生した結露水を受け入れて貯留する排水タンクを備えていて、この排水タンクから前記トレイに水を供給することを特徴とする請求項１に記載の冷風機。
【発明の詳細な説明】
【技術分野】
【０００１】
本発明は、冷風を吹き出す冷風機に関し、特に、冷凍サイクルの構成要素である蒸発器と凝縮器を一体で備えた冷風機に関する。
【背景技術】
【０００２】
図３、図４に、この種の従来の冷風機の一例を示す。ここでの従来の冷風機１０１は、冷風運転の他に、乾燥運転ができるものである（例えば、特許文献１〜３参照）。その外殻は概ね扁平な箱を垂直に立てたような本体１０２より構成され、本体１０２の内部には、上部側に第１の通気路１１０が、下部側に第２の通気路１２０が、それぞれ形成されている。
【０００３】
本体１０２には、前後左右の側面のうちの後面（図では左側）に、第１の通気路１１０への空気の入口となる第１の吸込み口１１１が開口している。この第１の吸込み口１１１が形成された後面とは丁度反対側となる前面（図では右側）には、第１の通気路１１０からの空気の出口となる第１の吹出し口１１２が、本体１０２の前面の上部から上面にかけて開口している。第１の吹出し口１１２には、上下で一対のルーバ１１３Ａ、１１３Ｂが設けられている。上側のルーバ１１３Ａと下側のルーバ１１３Ｂは、それぞれ互いに独立して左右方向に沿った支軸（不図示）に支持されていて、各支軸を支点に互いに連動して回動するようになっている。第１の通気路１１０の経路中には、第１の吸込み口１１１の背後に、蒸発器１１４と第１の送風機１１５がこの順に配されている。蒸発器１１４は、後述の凝縮器１２４と対を成して冷凍サイクルを構成し互いの間を冷媒が循環するものであり、液体の冷媒を蒸発させることにより周りから熱を奪う熱交換器である。第１の送風機１１５は、ファンモータとファンより成る。
【０００４】
また、本体１０２の後面には、第１の吸込み口１１１の下方に、第２の通気路１２０への空気の入口となる第２の吸込み口１２１が開口している。この第２の吸込み口１２１の直ぐ上には、第２の通気路１２０からの空気の出口となる第２の吹出し口１２２が開口している。第２の通気路１２０の経路中には、第２の吸込み口１２１の背後に、凝縮器１２４と第２の送風機１２５がこの順に配されている。凝縮器１２４は、気体の冷媒を冷却して凝縮させるために周りに熱を与える熱交換器である。第２の送風機１２５は、ファンモータとファンより成る。なお、蒸発器１１４から凝縮器１２４への循環経路（不図示）中には、蒸発器１１４からの気体の冷媒を圧縮して凝縮器１２４へ送り出す圧縮機１２９が配されている。
【０００５】
特に、第２の通気路１２０は、第２の送風機１２５から上方に延びた後、水平に折れ曲がって第２の吹出し口１２２に至るわけであるが、その折れ曲がり部分で分岐して、第１の通気路１１０における蒸発器１１４と第１の送風機１１５との間につながっている。その分岐部には、第２の通気路１２０から第１の通気路１１０への経路を開閉するダンパ１２３が設けられている。ここでのダンパ１２３は、左右方向に沿った支軸１２３ａに支持され、その支軸１２３ａを支点に回動するようになっている。ダンパ１２３は、第２の通気路１２０の経路に関し、回動によって、第２の吹出し口１２２への経路を開きつつ第１の通気路１１０への経路を閉ざす姿勢と、第２の吹出し口１２２への経路を閉ざしつつ第１の通気路１１０への経路を開く姿勢とを取り得る。
【０００６】
冷風運転では、図３に示すように、ダンパ１２３が第１の通気路１１０への経路を閉ざす姿勢にされる。この状態で、第１の送風機１１５を駆動させると、これに従い、後面側の外部の空気である室内の空気が、第１の吸込み口１１１より吸い込まれて第１の通気路１１０に導入される（図中の実線矢印参照）。導入された空気は、蒸発器１１４を通過した後、第１の送風機１１５から吐出されて上方前向きに導かれ、第１の吹出し口１１２より前面側の外部である室内へ吹き出される。その際に空気は、蒸発器１１４を通過する過程で熱を奪われて冷却されるとともに、その空気中の水分が蒸発器１１４の表面に結露して現れる。その結露水は、排水口１１６より第１の通気路１１０外へ排出され、連結管（不図示）を通じて排水タンク１１７に受け入れられて貯まる。こうして、第１の吹出し口１１２からは乾いた冷たい空気である冷風が吹き出される。
【０００７】
一方で、第２の送風機１２５を駆動させると、これに従い、後面側の外部の空気である室内の空気が、第２の吸込み口１２１より吸い込まれて第２の通気路１２０に導入される（図中の破線矢印参照）。導入された空気は、凝縮器１２４を通過した後、第２の送風機１２５から吐出されて上向きに導かれ、更にダンパ１２３により案内されて後方に導かれ、第２の吹出し口１２２より後面側の外部である室内へ吹き出される。その際に空気は、凝縮器１２４を通過する過程で熱を与えられて加熱される。こうして、第２の吹出し口１２２からは温かい空気である温風が吹き出される。
【０００８】
これとは逆に乾燥運転では、図４に示すように、ダンパ１２３が第１の通気路１１０への経路を開く姿勢にされる。この状態で、第１の送風機１１５の駆動に従い、後面側の外部の空気である室内の空気が、第１の吸込み口１１１より吸い込まれて第１の通気路１１０に導入され、その空気は蒸発器１１４を通過する過程で冷却される（図中の実線矢印参照）。一方で、第２の送風機１２５の駆動に従い、後面側の外部の空気である室内の空気が、第２の吸込み口１２１より吸い込まれて第２の通気路１２０に導入され、その空気は、凝縮器１２４を通過する過程で熱を与えられて加熱される（図中の破線矢印参照）。加熱された空気は、第２の通気路１２０から第１の通気路１１０に導入され、蒸発器１１４からの乾いた冷たい空気と混合し、そのまま、第１の吹出し口１１２より前面側の外部である室内へ吹き出される。こうして、第１の吹出し口１１２からは室温程度の適度な温度の乾いた空気が吹き出される。
【特許文献１】特開２００３−３１４８５５号公報
【特許文献２】特開２００５−２６５２２５号公報
【特許文献３】特開２００６−２４２５０８号公報
【発明の開示】
【発明が解決しようとする課題】
【０００９】
このような従来の冷風機１０１では、冷風運転時、第１の吹出し口１１２の前に居る人にとっては、第１の吹出し口１１２から吹き出された冷風を受けて快適な環境になる。しかし、それと同時に第２の吹出し口１２２からは温風が吹き出されるため、冷風機１０１の周囲の温度は上昇してしまう。従って、第１の吹出し口１１２の前から外れつつ冷風機１０１の傍に居る人にとっては、むしろ不快な環境になる。
【００１０】
そこで本発明は、上記の問題に鑑みてなされたものであり、傍に居ても不快感を与えない冷風機を提供することを目的とするものである。
【課題を解決するための手段】
【００１１】
上記目的を達成するため、本発明による冷風機は、互いの間を冷媒が循環する蒸発器と凝縮器を備え、送風機の駆動に従って外部から吸い込んだ空気を前記蒸発器との熱交換で冷却し、この冷却された空気を外部に吹き出す冷風機において、第１の吸込み口から第１の吹出し口に至る通気路であって、第１の吸込み口より吸い込んだ空気を経路中に配された前記蒸発器との熱交換で冷却し、この冷却された空気を第１の吹出し口に導く第１の通気路と、第２の吸込み口から第２の吹出し口に至る通気路であって、第２の吸込み口より吸い込んだ空気を経路中に配された前記凝縮器との熱交換で加熱し、この加熱された空気を第２の吹出し口に導く第２の通気路と、を含む。前記第２の通気路には、水を貯めるトレイと、このトレイに貯まっている水に下部が浸されて水分を含んだ含水フィルタと、が配されている。
【００１２】
このような構成にすると、第１の通気路を流通する空気は、蒸発器を通過する過程で熱を奪われて冷却されるため、第１の吹出し口からは冷風が吹き出される。従って、第１の吹出し口の前に居る人にとっては、第１の吹出し口から吹き出された冷風を受けて快適な環境になる。一方、第２の通気路を流通する空気は、凝縮器を通過する過程で熱を与えられて加熱されるが、含水フィルタを通過する過程で含水フィルタから水分を気化して取り込み、その気化熱の分温度が下がるため、第２の吹出し口からは室温程度の適度な温度の湿った空気が吹き出される。従って、冷風機の周囲の温度が上昇してしまうことはなく、第１の吹出し口の前から外れつつ冷風機の傍に居る人にとっても、不快な環境にはならない。
【発明の効果】
【００１３】
本発明の冷風機によれば、傍に居ても不快感を与えることはない。
【発明を実施するための最良の形態】
【００１４】
以下に、本発明の冷風機の一実施形態について図面を参照しながら詳述する。ここでの冷風機は、スポットクーラーのように乾いた冷たい空気を吹き出す冷風運転の他に、室内での衣類等の乾燥のために、切替えによって、室温程度の適度な温度の乾いた空気を吹き出す乾燥運転ができるものを例に挙げて説明する。図１、図２は本発明の一実施形態である冷風機の内部構造を示す側面視での断面図であって、図１は可動板が第２の通気路から第１の通気路への経路を閉ざした冷風運転時の状態を示し、図２は可動板が第２の通気路から第１の通気路への経路を開いた乾燥運転時の状態を示している。
【００１５】
本実施形態での冷風機１は、運転時には室内の適所で床上に置かれるものであり、その外殻が本体２より構成される。本体２は、全体として概ね扁平な箱を垂直に立てたような外形であって、内部には、大きく２つの通気路１０、２０が形成されている。その１つ目は、本体２の上部側に配置された第１の通気路１０であり、２つ目は、本体２の下部側に配置された第２の通気路２０である。
【００１６】
本体２には、前後左右の側面のうちの前面（図では右側）に、第１の通気路１０への空気の入口となる第１の吸込み口１１が、中央よりやや上寄りの位置で左右両端まで大きく開口している。第１の吸込み口１１は、例えば横長のスリットを複数個縦に並べた形のものである。この第１の吸込み口１１の直ぐ上には、第１の通気路１０からの空気の出口となる第１の吹出し口１２が、同じく本体２の前面から上面にかけて開口している。
【００１７】
第１の吹出し口１２には、上下で一対のルーバ１３Ａ、１３Ｂが設けられている。上側のルーバ１３Ａと下側のルーバ１３Ｂは、それぞれ互いに独立して左右方向に沿った支軸（不図示）に支持されていて、各支軸を支点に互いに連動して回動するようになっている。これらの各ルーバ１３Ａ、１３Ｂの回動の駆動は、ステッピングモータ等のデジタル制御モータによってなされる。各ルーバ１３Ａ、１３Ｂは、運転停止時には第１の吹出し口１２を閉ざす姿勢にされ、運転時には第１の吹出し口１２を開くように、ほぼ水平な姿勢からほぼ垂直に起立した姿勢まで自由に取り得る。
【００１８】
第１の通気路１０の経路中には、第１の吸込み口１１の背後に、蒸発器１４と第１の送風機１５がこの順に配されている。蒸発器１４は、後述する凝縮器２４と対を成して冷凍サイクルを構成し互いの間を冷媒が循環するものであり、液体の冷媒を蒸発させることにより周りから熱を奪う熱交換器である。第１の送風機１５は、ファンモータとファンより成り、ここではクロスフローファンが採用されているが、ターボファンやプロペラファンであっても構わない。
【００１９】
また、本体２には、前面とは丁度反対側となる後面（図では左側）に、第２の通気路２０への空気の入口となる第２の吸込み口２１が、概ね下半分左右両端まで大きく開口している。この第２の吸込み口２１の直ぐ上には、第２の通気路２０からの空気の出口となる第２の吹出し口２２が、同じく本体２の後面の中央よりやや上寄りに開口している。第２の吸込み口２１や第２の吹出し口２２は、例えば横長のスリットを複数個縦に並べた形のものである。
【００２０】
第２の通気路２０の経路中には、第２の吸込み口２１の背後に、凝縮器２４と第２の送風機２５がこの順に配されている。凝縮器２４は、気体の冷媒を冷却して凝縮させるために周りに熱を与える熱交換器である。第２の送風機２５は、ファンモータとファンより成り、ここではターボファンが採用されているが、クロスフローファンやプロペラファンであっても構わない。なお、蒸発器１４から凝縮器２４への循環経路（不図示）中には、凝縮器２４での凝縮効率を高めるために、蒸発器１４からの気体の冷媒を圧縮して凝縮器２４へ送り出す圧縮機２９が配されている。
【００２１】
特に、本実施形態では、第２の通気路２０は、第２の送風機２５から上方に延びた後、水平に折れ曲がって第２の吹出し口２２に至るわけであるが、その折れ曲がり部分で分岐して、第１の通気路１０における蒸発器１４と第１の送風機１５との間につながっている。その分岐部には、第２の通気路２０から第１の通気路１０への経路を開閉するダンパ２３が設けられている。ここでのダンパ２３は、左右方向に沿った支軸２３ａに支持され、その支軸２３ａを中心として円弧状に湾曲した湾曲板であって、支軸２３ａを支点に回動するようになっている。ダンパ２３の回動の駆動は、ステッピングモータ等のデジタル制御モータによってなされる。ダンパ２３は、第２の通気路２０の経路に関し、回動によって、第２の吹出し口２２への経路を開きつつ第１の通気路１０への経路を閉ざす姿勢と、第２の吹出し口２２への経路を閉ざしつつ第１の通気路１０への経路を開く姿勢とを取り得る。
【００２２】
ここで、本実施形態での第２の通気路２０の経路中には、第２の吹出し口２２の背後、すなわちダンパ２３と第２の吹出し口２２との間に、第２の通気路２０のほぼ全域を遮るように含水フィルタ２６が配されている。具体的には、第２の通気路２０にトレイ２７が収納され、このトレイ２７内に一定の水位に水が貯められる。含水フィルタ２６は、ジグザグに折り畳まれた吸水材から成り、トレイ２７内に差し込まれて下部が水に浸され、その水を吸い上げて水分を含んだ状態になる。トレイ２７には、水を貯留した給水タンク２８が連結管（不図示）を介して接続され、その給水タンク２８から水が適時供給される。給水タンク２８は、トレイ２７の上方で本体２の上部に着脱可能に装着される。
【００２３】
冷風運転では、図１に示すように、ダンパ２３が第１の通気路１０への経路を閉ざす姿勢にされる。この状態で、第１の送風機１５を駆動させると、これに従い、前面側の外部の空気である室内の空気が、第１の吸込み口１１より吸い込まれて第１の通気路１０に導入される（図中の実線矢印参照）。導入された空気は、蒸発器１４を通過した後、第１の送風機１５から吐出されて上方前向きに導かれ、第１の吹出し口１２より前面側の外部である室内へ吹き出される。その際に空気は、蒸発器１４を通過する過程で熱を奪われて冷却されるとともに、その空気中の水分が蒸発器１４の表面に結露して現れる。こうして、第１の吹出し口１２からは乾いた冷たい空気である冷風が吹き出される。従って、第１の吹出し口１２の前に居る人にとっては、第１の吹出し口１２から吹き出された冷風を受けて快適な環境になる。つまり、傍に居ても不快感を与えない。
【００２４】
ちなみに、蒸発器１４の真下には排水タンク１７が配備されている。そして、蒸発器１４の表面に発生した結露水は、排水口１６より第１の通気路１０外へ排出され、連結管（不図示）を通じて排水タンク１７に受け入れられる。排水タンク１７内には結露水が次第に貯まっていき、規定の満水になると水位センサがそれを検知し、これに応じた表示ランプの点灯や警告音等により、排水タンク１７内の水を廃棄すべき状況であることが使用者に促される。
【００２５】
一方で、第２の送風機２５を駆動させると、これに従い、後面側の外部の空気である室内の空気が、第２の吸込み口２１より吸い込まれて第２の通気路２０に導入される（図中の破線矢印参照）。導入された空気は、凝縮器２４を通過した後、第２の送風機２５から吐出されて上向きに導かれ、更にダンパ２３により案内されて後方に導かれ、含水フィルタ２６を通過した後第２の吹出し口２２より後面側の外部である室内へ吹き出される。その際に空気は、先ずは凝縮器２４を通過する過程で熱を与えられて一旦は加熱される。続いて含水フィルタ２６を通過する過程で含水フィルタ２６から水分を気化して取り込み、その結果、幾分か加湿はされるもののその気化熱の分温度が下がる。こうして、第２の吹出し口２２からは室温程度の適度な温度の湿った空気が吹き出される。従って、冷風機１の周囲の温度が上昇してしまうことはなく、第１の吹出し口１２の前から外れつつ冷風機１の傍に居る人にとっても、不快な環境にはならない。
【００２６】
これとは逆に乾燥運転では、図２に示すように、ダンパ２３が第１の通気路１０への経路を開く姿勢にされる。この状態で、第１の送風機１５の駆動に従い、前面側の外部の空気である室内の空気が、第１の吸込み口１１より吸い込まれて第１の通気路１０に導入され、その空気は蒸発器１４を通過する過程で冷却される（図中の実線矢印参照）。一方で、第２の送風機２５の駆動に従い、後面側の外部の空気である室内の空気が、第２の吸込み口２１より吸い込まれて第２の通気路２０に導入され、その空気は、凝縮器２４を通過する過程で熱を与えられて加熱される（図中の破線矢印参照）。加熱された空気は、第２の通気路２０から第１の通気路１０に導入され、蒸発器１４からの乾いた冷たい空気と混合し、そのまま、第１の吹出し口１２より前面側の外部である室内へ吹き出される。こうして、第１の吹出し口１２からは室温程度の適度な温度の乾いた空気が吹き出される。もっともこの場合は、ダンパ２３によって第２の吹出し口２２への経路を閉ざされているため、第２の吹出し口２２から空気は出ない。
【００２７】
その他本発明は上記の実施形態に限定されず、本発明の趣旨を逸脱しない範囲で、種々の変更が可能である。例えば、乾燥運転は行えず冷風運転のみ行えるもの、すなわちダンパ２３がなくて第１の通気路１０と第２の通気路とが完全に区画されているものにも適用が可能である。この場合、含水フィルタ２６が配される位置は、第２の通気路中であれば特に限定はなく、凝縮器２４の上流側であっても下流側であってもよい。また、上記の実施形態では給水タンク２８を別途設け、この給水タンク２８からトレイ２７に水を供給するようにしているが、排水タンク１７に回収して貯まっている水（蒸発器１４からの凝縮水）をトレイ２７に供給するようにしても構わない。このようにすると、回収した水を流用できることから経済的であるし、給水タンク２８の水補給のための着脱頻度が減り利便性が良いという利点がある。
【産業上の利用可能性】
【００２８】
本発明は、冷凍サイクルの構成要素である蒸発器と凝縮器を一体で備えた冷風機に有用である。
【図面の簡単な説明】
【００２９】
【図１】本発明の一実施形態である冷風機の内部構造について、冷風運転時の状態を示す側面視での断面図である。
【図２】本発明の一実施形態である冷風機の内部構造について、乾燥運転時の状態を示す側面視での断面図である。
【図３】従来の冷風機の内部構造について、冷風運転時の状態を示す側面視での断面図である。
【図４】従来の冷風機の内部構造について、乾燥運転時の状態を示す側面視での断面図である。
【符号の説明】
【００３０】
１    冷風機
２    本体
１０    第１の通気路
１１    第１の吸込み口
１２    第１の吹出し口
１３Ａ    ルーバ
１３Ｂ    ルーバ
１４    蒸発器
１５    第１の送風機
１６    排水口
１７    排水タンク
２０    第２の通気路
２１    第２の吸込み口
２２    第２の吹出し口
２３    ダンパ
２４    凝縮器
２５    第２の送風機
２６    含水フィルタ
２７    トレイ
２８    給水タンク
２９    圧縮機
【図１】
2008170115.tif 000003
【図２】
2008170115.tif 000004
【図３】
2008170115.tif 000005
【図４】
2008170115.tif 000006